(57)【要約】【課題】雨風等が侵入して建築材料に悪影響を及ぼすのを抑制し、しかも、養生シートを短時間で簡便に被覆できる建築物の建築工法を提供する。【解決手段】複数の木材７と断熱材４のうち、少なくとも複数の断熱材４を使用して住宅１を建築する建築物の建築工法で、建築途中の住宅１に大型の養生シート１０をクレーン車１１で吊り上げて被覆し、建築途中の住宅１を雨風等から有効に養生保護する。多数の養生シート１０を使用して被覆するのではなく、大型の養生シート１０を１枚使用して上方外側から被覆するので、隣接する養生シート１０間から雨風が侵入して木材７や断熱材４に悪影響を及ぼすのを抑制防止できる。したがって、乾燥性が要求される木材７や断熱材４の性能低下を防止することができる。【選択図】図６
2010196292.tif 000002
【特許請求の範囲】
【請求項１】
複数の木材と断熱材のうち、少なくとも複数の断熱材を使用して建築物を建築する建築物の建築工法であって、
建築中の建築物に大型の養生シートを吊り上げて被覆し、建築中の建築物を保護することを特徴とする建築物の建築工法。
【請求項２】
養生シートの略中央部を移動式のクレーンにより吊り上げ、建築中の建築物上方に養生シートを配し、この養生シートを下降させ、広げることにより、建築中の建築物の略全部を被覆する請求項１記載の建築物の建築工法。
【請求項３】
養生シートにより建築中の建築物の略全部を被覆した後、建築中の建築物、あるいはその近傍の地盤に養生シートの下部を固定する請求項２記載の建築物の建築工法。
【請求項４】
養生シートとして、ポリエステル樹脂製のシートに塩化ビニル樹脂をコーティングした重量２００ｋｇ以上のシートを用いる請求項１、２、又は３記載の建築物の建築工法。
【発明の詳細な説明】
【技術分野】
【０００１】
本発明は、個人住宅に代表される建築物の建築工法の改良に関するものである。
【背景技術】
【０００２】
従来、住宅を建築する場合には、図示しないが、基礎に土台を敷設して１階用の床面を施工し、この１階用の床面に１階用の複数の壁を立て起こして垂直に固定する。このような作業要領で住宅の２階部分を構築し、最後に天井と屋根とを組めば、住宅を建築することができる（特許文献１、２、３）。この住宅の建築の際には、多数の木材と断熱材とが使用され、各木材として、寸法精度等に優れる乾燥したランバー材が一般的に用いられる。
【０００３】
ところで、住宅の建築工事は、日数を要し、この間に雨、風、雪が降ることがある。この場合には、建築途中の建築物の全部又は一部に多数の養生シートが被覆され、雨、風、雪からの保護が図られる。
【先行技術文献】
【特許文献】
【０００４】
【特許文献１】特開２００５−２７９３号公報
【特許文献２】特開２００１−３１１１６２号公報
【特許文献３】特開２００８−１２７８３９号公報
【発明の概要】
【発明が解決しようとする課題】
【０００５】
従来における建築物の建築工法は、以上のように悪天候の場合に建築途中の建築物に多数の養生シートが単に重ねて被覆されるので、隣接する養生シートと養生シートの間から雨、風、雪が侵入して木材や断熱材に悪影響を及ぼし、乾燥性が要求される木材や断熱材の性能が低下してしまうという問題がある。具体的には、土台、壁、天井等を構成する木材が水分を吸収して寸法に狂いが生じたり、反りを招いたり、あるいは断熱材の熱伝導率が大きくなる。さらに、建築途中の建築物に多数の養生シートを被覆する作業は、長時間を要し、しかも、手間がかかり煩雑である。
【０００６】
本発明は上記に鑑みなされたもので、雨風等が侵入して建築材料に悪影響を及ぼすのを抑制し、しかも、養生シートを短時間で簡便に被覆することのできる建築物の建築工法を提供することを目的としている。
【課題を解決するための手段】
【０００７】
本発明においては上記課題を解決するため、複数の木材と断熱材のうち、少なくとも複数の断熱材を使用して建築物を建築する建築工法であって、
建築中の建築物に大型の養生シートを吊り上げて被覆し、建築中の建築物を保護することを特徴としている。
【０００８】
なお、養生シートの略中央部を移動式のクレーンにより吊り上げ、建築中の建築物上方に養生シートを配し、この養生シートを下降させ、広げることにより、建築中の建築物の略全部を被覆することができる。
また、養生シートの周縁部に複数の貫通孔を設け、この複数の貫通孔に操作用の線条体を通し、この線条体を操作することにより、吊り上げた養生シートを広げることができる。
【０００９】
また、養生シートにより建築中の建築物の略全部を被覆した後、建築中の建築物、あるいはその近傍の地盤に養生シートの下部を固定することができる。
さらに、養生シートとして、ポリエステル樹脂製のシートに塩化ビニル樹脂をコーティングした重量２００ｋｇ以上のシートを用いることも可能である。
【００１０】
ここで、特許請求の範囲における建築物は、個人用の住宅が主ではあるが、事務所、店舗、倉庫、畜舎、門等、住宅以外の工作物でも良い。この建築物の建築に際しては、木材、鉄筋、断熱材等を使用することができる。建築物の建築工法は、木造軸組工法、２×４工法、鉄筋作り工法、プレハブ工法、ユニット工法等のいずれでも良い。また、養生シートは、平面略矩形、多角形、円形等とすることができる。この養生シートの略中央部には、中央部と、おおよそ中央部と認められる箇所とが含まれる。
【００１１】
本発明において、建築中の建築物を養生シートにより被覆保護する場合には、建築中の建築物に対し、吊り上げた養生シートを下降させ、広げることにより、上方外側から覆えば、建築物が外部から遮断されるので、建築物の建築材料を雨、風、雪、湿気、雹等から保護することができる。
【発明の効果】
【００１２】
本発明によれば、雨風等が侵入して建築材料に悪影響を及ぼすのを抑制し、しかも、養生シートを短時間で簡便に被覆することができるという効果がある。
【００１３】
また、養生シートの略中央部をクレーンにより吊り上げれば、養生シートの被覆に偏りが少なく、建築中の住宅の略全部を均一に被覆することができる。また、固定式ではなく、移動式のクレーンを使用するので、工事現場の状況に応じてクレーンを設置でき、工事の便宜を図ることができる。
また、養生シートにより建築中の建築物の略全部を被覆した後、建築中の建築物、あるいはその近傍の地盤に養生シートの下部を固定すれば、養生シートのバタツキを防止することができる。
【００１４】
さらに、養生シートとして、ポリエステル樹脂製のシートに塩化ビニル樹脂をコーティングした重量２００ｋｇ以上のシートを用いれば、優れた耐候性や耐水性を得ることができる他、養生シートの下部を特に固定しなくても、養生シートが煽られて建築材料と接触し、建築材料を損傷させたり、騒音を発生させるのを抑制することが可能になる。
【図面の簡単な説明】
【００１５】
【図１】本発明に係る建築物の建築工法の実施形態における基礎に１階用床組を構築した状態を模式的に示す斜視説明図である。
【図２】図１の１階用床組の区画空間に断熱材を敷き詰めた状態を模式的に示す斜視説明図である。
【図３】図２の１階用床組の周囲に１階用壁パネルを施工する状態を模式的に示す斜視説明図である。
【図４】図３の１階用壁パネルの上部に天井パネルを架設する状態を模式的に示す斜視説明図である。
【図５】図４の１階の建て込みを完了した状態を模式的に示す斜視説明図である。
【図６】本発明に係る建築物の建築工法の実施形態における建築途中の住宅に養生シートを吊り上げて被覆する状態を模式的に示す斜視説明図である。
【図７】本発明に係る建築物の建築工法の実施形態における被覆中の養生シートを模式的に示す斜視説明図である。
【図８】本発明に係る建築物の建築工法の実施形態における２階の建て込みを完了した状態を模式的に示す斜視説明図である。
【発明を実施するための形態】
【００１６】
以下、図面を参照して本発明の好ましい実施の形態を説明すると、本実施形態における建築物の建築工法は、図１ないし図８に示すように、建築途中の住宅１に大型の養生シート１０を吊り上げて被覆し、建築途中の住宅１の木材７や断熱材４を雨風等から保護するようにしている。
【００１７】
養生シート１０は、特に限定されるものではないが、例えば可撓性や耐候性に優れる安価なポリエステル樹脂製のシートと、このシートの表裏面にそれぞれコーティングされる耐水性、難燃性の塩化ビニル樹脂とを備えた厚く重い平面矩形に形成され、建築途中の住宅１の略全部を被覆可能な大きさ（例えば、２０ｍ×２５ｍ以上、あるいは２５ｍ×２５ｍ以上）とされており、周縁部の少なくとも四隅に、作業の便宜を図る貫通孔がそれぞれ穿孔される。
【００１８】
養生シート１０の厚さは、特に限定されるものではないが、防水の確実化を図る観点から０.５０〜０.６０ｍｍの範囲、好ましくは０.５５〜０.５９ｍｍの範囲、より好ましくは０.５７〜０.５８ｍｍの範囲が良い。また、養生シート１０の重量は、特に制限されるものではないが、風等で煽られ、騒音を発生させることがないよう、少なくとも２００ｋｇ以上、好ましくは３００ｋｇ以上、より好ましくは５００ｋｇ以上が良い。
【００１９】
上記構成において、住宅１を２×４工法により建築する場合には、先ず、基礎２上に１階用床組３を構築（図１参照）してその多数の区画空間に断熱材４をそれぞれ敷き詰め（図２参照）、この１階用床組３の周囲に１階用壁パネル５を垂直に複数固定（図３参照）し、この複数の１階用壁パネル５の上部間に天井パネル６を架設（図４参照）して１階の建て込みを完了する（図５参照）。
【００２０】
このような作業要領で住宅１の２階部分を構築するが、この作業の際の天候が悪化して工事を中断する場合には、建築途中の住宅１に対し、１枚の養生シート１０をクレーン車（図６に部分的に示す）１１で吊り上げて被覆し、建築途中の住宅１の木材７や断熱材４を雨、風、雪、湿気等から効果的に養生保護すれば良い。
【００２１】
具体的には、予め工場から工事現場に養生シート１０を運搬しておき、この養生シート１０の中央部を略球形に丸めてロープやワイヤ等からなる緊縛材で緊縛するとともに、この緊縛材をクレーン車１１のフック１２に係止して吊り上げ、クレーン車１１の伸縮ブームを伸縮して建築途中の住宅１上方に養生シート１０を配置して徐々に降ろし始める（図６参照）。
【００２２】
クレーン車１１は、特に限定されるものではないが、工事現場の道路状況に応じて、例えばカーゴクレーン、トラッククレーン、ラフテレーンクレーン等を適宜使用することができる。
【００２３】
こうして養生シート１０を徐々に降ろし始めたら、この養生シート１０を降下させつつ手作業により前後左右に適宜展開（図７参照）し、この養生シート１０により建築途中の住宅１の略全部を上方外側から被覆するとともに、養生シート１０の中央部とクレーン車１１のフック１２との係止を解除し、その後、養生シート１０の下部のバタツキを確実に防止するため、建築途中の住宅１の下部あるいはその近傍の地盤に養生シート１０の周縁下部を固定すれば良い。
【００２４】
これらの作業の際、養生シート１０の複数の貫通孔に予め挿通しておいた操作用のロープ等を適宜引張り操作すれば、窄んだ養生シート１０を容易に拡張することができる。また、養生シート１０により建築途中の住宅１の全部を被覆するのが好ましいが、住宅１の木材７や断熱材４に悪影響が生じないのであれば、基礎２の下部等は多少露出しても良い。また、養生シート１０の固定に際しては、専用の固定具を使用しても良いが、既存の建築用の釘、ボルト、フック、ゴム等を選択的に用いることもできる。
【００２５】
天候が回復して工事を再開し、養生シート１０を除去して住宅１の２階部分を構築したら、天井と屋根とを組み、２階の建て込みを完了する（図８参照）ことにより、住宅１を建築することができる。養生シート１０の除去に際しては、例えば養生シート１０の周縁下部の固定を解除し、養生シート１０の中央部を緊縛材で再び緊縛し、この緊縛材をクレーン車１１のフック１２に係止して吊り上げた後、クレーン車１１の伸縮ブームを伸縮して建築途中の住宅１から養生シート１０を移動させれば良い。
【００２６】
上記によれば、多数の養生シート１０を使用して被覆するのではなく、大型の養生シート１０を１枚使用して上方外側から被覆するので、隣接する養生シート１０間から雨風が侵入して１階用床組３、１階用壁パネル５、天井パネル６等を構成する木材７や断熱材４に悪影響を及ぼすのを抑制防止することができる。したがって、乾燥性が要求される木材７や断熱材４の性能低下を確実に防止することができる。また、吊り上げた重い養生シート１０を降ろしながら展開被覆するので、養生シート１０の重量を活用して短時間で迅速に被覆でき、被覆作業の著しい円滑化、簡素化、容易化を図ることができる。
【００２７】
また、養生シート１０の重量が２００ｋｇ以上であるから、風等で煽られて木材７と接触し、騒音を発生させて周囲の居住者に迷惑をかけることもない。さらに、養生シート１０の中央部を吊り上げるので、養生シート１０の被覆量に偏りがなく、建築途中の住宅１の一部が露出してその木材７等が風雨に晒され、悪影響を蒙るのを防止することが可能になる。
【００２８】
なお、上記実施形態ではポリエステル樹脂製の養生シート１０を示したが、何らこれに限定されるものではない。例えば、養生シート１０は、ポリエチレン樹脂やオレフィン系の合成樹脂等により平面矩形に成形しても良い。また、基礎２に１階用床組３を構築した段階で養生シート１０により被覆しても良いし、１階用床組３の区画空間に断熱材４を敷き詰めた段階で養生シート１０により被覆しても良い。
【００２９】
また、１階用床組３の周囲に１階用壁パネル５を垂直に複数固定した段階で養生シート１０により被覆しても良いし、複数の１階用壁パネル５の上部間に天井パネル６を架設した段階で養生シート１０により被覆しても良い。さらに、住宅１の天井と屋根が完成するまでの間、天候に拘わりなく、毎日の工事の終了時に、建築途中の住宅１に養生シート１０をクレーン車１１で吊り上げて被覆し、建築途中の住宅１を雨、風、雪、湿気等から養生保護することもできる。
【符号の説明】
【００３０】
１        住宅（建築物）
４        断熱材
７        木材
１０      養生シート
１１      クレーン車（移動式のクレーン）
１２      フック
【図１】
2010196292.tif 000003
【図２】
2010196292.tif 000004
【図３】
2010196292.tif 000005
【図４】
2010196292.tif 000006
【図５】
2010196292.tif 000007
【図６】
2010196292.tif 000008
【図７】
2010196292.tif 000009
【図８】
2010196292.tif 000010
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
複数の木材と断熱材とを使用して建築物を建築する建築物の建築工法であって、
大型の養生シートの略中央部を緊縛材で緊縛し、この緊縛材を移動式のクレーンにより吊り上げ、養生シートを建築中の建築物の上方に配して徐々に下降させるとともに、養生シートの周縁部の貫通孔に通した操作用の線条体を操作することで、吊り上げた養生シートを展開して広げることにより、建築中の建築物の略全部を被覆保護することを特徴とする建築物の建築工法。
【請求項２】
養生シートにより建築中の建築物の略全部を被覆した後、建築中の建築物、あるいはその近傍の地盤に養生シートの下部を固定する請求項１記載の建築物の建築工法。
【請求項３】
養生シートとして、ポリエステル樹脂製のシートに塩化ビニル樹脂をコーティングしたシートを用いる請求項１又は２記載の建築物の建築工法。
【手続補正２】
【補正対象書類名】明細書
【補正対象項目名】０００７
【補正方法】変更
【補正の内容】
【０００７】
本発明においては上記課題を解決するため、複数の木材と断熱材とを使用して建築物を建築する建築物の建築工法であって、
大型の養生シートの略中央部を緊縛材で緊縛し、この緊縛材を移動式のクレーンにより吊り上げ、養生シートを建築中の建築物の上方に配して徐々に下降させるとともに、養生シートの周縁部の貫通孔に通した操作用の線条体を操作することで、吊り上げた養生シートを展開して広げることにより、建築中の建築物の略全部を被覆保護することを特徴としている。
【手続補正３】
【補正対象書類名】明細書
【補正対象項目名】０００８
【補正方法】変更
【補正の内容】
【０００８】
なお、養生シートにより建築中の建築物の略全部を被覆した後、建築中の建築物、あるいはその近傍の地盤に養生シートの下部を固定することができる。
また、養生シートとして、ポリエステル樹脂製のシートに塩化ビニル樹脂をコーティングしたシートを用いることができる。
【手続補正４】
【補正対象書類名】明細書
【補正対象項目名】０００９
【補正方法】削除
【補正の内容】
【手続補正５】
【補正対象書類名】明細書
【補正対象項目名】００１２
【補正方法】変更
【補正の内容】
【００１２】
本発明によれば、大型の養生シートの略中央部を緊縛材で緊縛し、この緊縛材を移動式のクレーンにより吊り上げ、養生シートを建築中の建築物の上方に配して徐々に下降させるとともに、養生シートの周縁部の貫通孔に通した操作用の線条体を操作することで、吊り上げた養生シートを展開して広げることにより、建築中の建築物の略全部を被覆保護するので、雨風等が侵入して建築材料に悪影響を及ぼすのを抑制し、しかも、養生シートを短時間で簡便に被覆することができるという効果がある。
また、養生シートの中央部を緊縛材で緊縛してそのまま吊り上げるので、養生シートの被覆量に偏りがなく、建築途中の住宅の一部が露出してその木材等が風雨に晒され、悪影響を蒙るのを防ぐことが可能になる。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
乾燥性が要求される複数の木材と断熱材とを使用して住宅を建築する建築物の建築工法であって、
大型の養生シートの略中央部を緊縛材で緊縛し、この緊縛材を移動式のクレーンにより吊り上げ、養生シートを建築中の住宅の上方に配して徐々に下降させるとともに、養生シートの周縁部の貫通孔に通した操作用の線条体を操作することで、吊り上げた養生シートを展開して広げることにより、建築中の住宅の略全部を被覆保護することを特徴とする建築物の建築工法。
【請求項２】
養生シートにより建築中の住宅の略全部を被覆保護した後、建築中の住宅、あるいはその近傍の地盤に養生シートの下部を固定する請求項１記載の建築物の建築工法。
【請求項３】
養生シートとして、ポリエステル樹脂製のシートに塩化ビニル樹脂をコーディングしたシートを用いる請求項１又は２記載の建築物の建築工法。
【手続補正２】
【補正対象書類名】明細書
【補正対象項目名】０００７
【補正方法】変更
【補正の内容】
【０００７】
本発明においては上記課題を解決するため、乾燥性が要求される複数の木材と断熱材とを使用して住宅を建築する建築工法であって、
大型の養生シートの略中央部を緊縛材で緊縛し、この緊縛材を移動式のクレーンにより吊り上げ、養生シートを建築中の住宅の上方に配して徐々に下降させるとともに、養生シートの周縁部の貫通孔に通した操作用の線条体を操作することで、吊り上げた養生シートを展開して広げることにより、建築中の住宅の略全部を被覆保護することを特徴としている。
【手続補正３】
【補正対象書類名】明細書
【補正対象項目名】０００８
【補正方法】変更
【補正の内容】
【０００８】
なお、養生シートにより建築中の住宅の略全部を被覆保護した後、建築中の住宅、あるいはその近傍の地盤に養生シートの下部を固定することができる。
また、養生シートとして、ポリエステル樹脂製のシートに塩化ビニル樹脂をコーディングしたシートを用いることができる。
【手続補正４】
【補正対象書類名】明細書
【補正対象項目名】００１０
【補正方法】変更
【補正の内容】
【００１０】
ここで、特許請求の範囲における住宅の建築に際しては、木材、鉄筋、断熱材等を使用することができる。建築物の建築工法は、木造軸工法、２×４工法、鉄筋作り工法、プレハブ工法、ユニット工法等のいずれでも良い。また、養生シートは、平面矩形、多角形、円形等とすることができる。この養生シートの略中央部には、中央部と、おおよそ中央部と認められる箇所とが含まれる。
【手続補正５】
【補正対象書類名】明細書
【補正対象項目名】００１２
【補正方法】変更
【補正の内容】
【００１２】
本発明によれば、大型の養生シートの略中央部を緊縛材で緊縛し、この緊縛材を移動式のクレーンにより吊り上げ、養生シートを建築中の住宅の上方に配して徐々に下降させるとともに、養生シートの周縁部の貫通孔に通した操作用の線条体を操作することで、吊り上げた養生シートを展開して広げることにより、建築中の住宅の略全部を被覆保護するので、雨風等が侵入して建築材料に悪影響を及ぼすのを抑制することができるという効果がある。したがって、乾燥性が要求される住宅用の複数の木材や断熱材の性能低下、具体的には寸法狂い、反り、熱伝導率の増大を防止することができる。
また、吊り上げた養生シートを降ろしながら展開被覆するので、短時間で簡便に被覆することができる。また、養生シートの略中央部を緊縛材で緊縛してそのまま吊り上げるので、養生シートの被覆量に偏りが少なく、建築中の住宅の一部が露出してその木材等が雨風に晒され、悪影響を蒙るのを防ぐことが可能になる。さらに、固定式ではなく、移動式のクレーンを使用するので、工事現場の状況に応じてクレーンを設置でき、工事の便宜を図ることが可能になる。
【手続補正６】
【補正対象書類名】明細書
【補正対象項目名】００１３
【補正方法】変更
【補正の内容】
【００１３】
また、養生シートにより建築中の住宅の略全部を被覆保護した後、建築中の住宅、あるいはその近傍の地盤に養生シートの下部を固定すれば、養生シートのバタツキ防止が期待できる。
【手続補正７】
【補正対象書類名】明細書
【補正対象項目名】００１４
【補正方法】変更
【補正の内容】
【００１４】
さらに、養生シートとして、ポリエステル樹脂製のシートに塩化ビニル樹脂をコーディングしたシートを用いれば、優れた耐候性や耐水性を得ることができる。